(57)【要約】      （修正有）【課題】閉鎖式吸痰装置を提供する。【解決手段】第１チューブアセンブリ体１１と、第２チューブアセンブリ体１３と、吸引カテーテルスリーブと、戻り防止具１５と、を備える。第１チューブアセンブリ体１１は少なくとも一つの患者接続チューブ１１１と、一つの酸素供給分岐管１１２と、延長チューブ１１３とを有する。吸引チューブ１２は吸引端と、負圧端とを有する。第２チューブアセンブリ体１３は少なくとも一つの吸引チューブ１２の接続チューブと、一つの負圧吸引機接続チューブ１３２と、負圧制御弁１６とを有する。戻り防止具１５は吸引チューブスリーブ１４に取り付けられ、第１チューブアセンブリ体１１と、第２チューブアセンブリ体１３との間に接続されている。吸引チューブを引っ張られたとき、戻り防止具によって適時に吸引チューブの吸引端を引き留める。【選択図】図２
0003184134.tif 000002
【実用新案登録請求の範囲】
【請求項１】
閉鎖式吸痰装置であって、
少なくとも一つの患者接続チューブと、一つの酸素供給分岐管と、延長チューブとを有する第１チューブアセンブリ体と、
少なくとも一つの吸引接続チューブと、一つの負圧吸引機接続チューブと、負圧制御弁とを有する第２チューブアセンブリ体と、
吸引端と、負圧端とを有し、前記吸引端は前記第１チューブアセンブリ体に挿入しており、負圧端は前記第２チューブアセンブリ体の内部に固定する吸引チューブと、
前記第１チューブアセンブリ体と、前記第２チューブアセンブリ体との間に接続して、前記吸引チューブを覆う吸引チューブスリーブと、
前記吸引チューブスリーブに取り付けられ、前記第１チューブアセンブリ体と、前記第２チューブアセンブリ体との間に接続され、前記吸引チューブの前記吸引端が前記第１チューブアセンブリ体より抜け出して前記吸引チューブスリーブの内部に落ち入ることを防止する戻り防止具と、を備えることを特徴とする、
閉鎖式吸痰装置。
【請求項２】
前記戻り防止具は、弾性を有する帯状部材であることを特徴とする、請求項１に記載の閉鎖式吸痰装置。
【請求項３】
前記戻り防止具の部材は、シリコン、ゴム、プラスチック、合成プラスチック、自然の綿、または化学合成織物のいずれか、または前述２種の部材の組合せものからなることを特徴とする、請求項２に記載の閉鎖式吸痰装置。
【請求項４】
前記第１チューブアセンブリ体は第１係索をさらに含み、前記第１係索を前記延長チューブに嵌設し、前記戻り防止具の一端を前記延長チューブに接続することにより、前記戻り防止具の一端を前記延長チューブに嵌設することを特徴とする、請求項１に記載の閉鎖式吸痰装置。
【請求項５】
前記第２チューブアセンブリ体は第２係索をさらに含み、前記第２係索を前記延長チューブに嵌設し、前記戻り防止具の一端を前記延長チューブに接続することにより、前記戻り防止具の一端を前記延長チューブに嵌設することを特徴とする、請求項１に記載の閉鎖式吸痰装置。
【請求項６】
前記戻り防止具は複数のブロック部材からなり、前記ブロック部材を前記吸引チューブスリーブの表面に設けて、前記吸引チューブスリーブに特殊な弾性をもたせることを特徴とする、請求項１に記載の閉鎖式吸痰装置。
【考案の詳細な説明】
【技術分野】
【０００１】
本考案は吸痰装置に関し、特に吸引チューブスリーブの内部に戻り防止具を増設された閉鎖式吸痰装置に関する。
【背景技術】
【０００２】
重症患者の呼吸機能が変化し、または異常を発生したときは、気管の内部にチューブを差し込んで酸素供給の治療を受ける。
しかし、気管内カテーテルの導入には、患者の呼吸道にある痰の正常な排出が妨げられるため、気管内カテーテル導入処置後には手動吸引を実施し、患者の呼吸道にある痰または分泌液を取り除き、人工気道に滞りがないように患者に正常な呼吸を維持させる必要から、気管内吸引術（ｅｎｄｏｔｒａｃｈｅａｌ  ｓｕｃｔｉｏｎｉｎｇ，ＥＴＳ）が気道分泌物の浄化の最も重要な介護処置になっている。
【０００３】
気管内吸引術は手技の方式により、開放式吸引システムと、閉鎖式吸引システムとに分かれている。
開放式吸引システムの主な欠点は、吸引プロセスにおいて、呼吸機械と患者との接続、酸素供給、をいったん中止する必要があることから、低酸素血症と酸素不足発生の恐れがある。
閉鎖式吸引システムは医療従事者が特殊な密閉システムの吸痰装置を用いて、これを呼吸機械に接続した後、負圧制御弁を操作して負圧環境を形成させる。よって、患者は吸引施術のときに気道の正圧と、治療に必要な酸素濃度を維持できる。
【０００４】
図１の、公知の閉鎖式吸痰キットの断面図を参照する。公知の閉鎖式吸痰キット１’には、チューブ状本体１００’と、酸素供給分岐管２００’と、第１掻き板３１０’と、第２掻き板３２０’と、洗浄分岐管４００’と、を備える。
このうち、チューブ状本体１００’は二股の出口部を形成し、これに対応する２つの開口端は、それぞれ接続段１１０’と、排出段１２０’とが設けられ、接続段１１０’を接続チューブ１０’に接続し、排出段１２０’を収集バッグ５０’に接続する。酸素供給分岐管２００’の一端がチューブ状本体１００’の分岐管に連絡し、接続段１１０’及び排出段１２０’との間に位置しており、他端は酸素搬送チューブ２０’に連絡されている。
第１掻き板３１０’と、第２掻き板３２０’とが並列に配置していて、排出段１２０’の管壁の内側に接続され、排出段１２０’において、洗浄チャンバー３３０’が形成され、洗浄分岐管４００’の一端は排出段１２０’に連絡して、酸素供給分岐管２００’と、第１掻き板３１０’との間に位置されている。
【０００５】
公知の前記閉鎖式吸痰キット１’は吸引チューブ３０’に嵌着し、患者端３１’を患者の体内に挿入し負圧を利用して、患者体内の廃液を吸引する。
医療従事者が公知の閉鎖式吸痰キット１’を吸引チューブ３０’に装着して、患者に吸引を行った後は、吸引チューブ３０’を引き込み、患者端３１’を接続チューブ１０’から引き出して、洗浄チャンバー３３０’に移してすすぎ洗いをする。
吸引チューブ３０’が第２掻き板３２０’と第１掻き板３１０’とを通過するとき、患者端３１’の外面に付着していた廃液は第２掻き板３２０と、第１掻き板３１０’によって掻き落とされた後、注水チューブ４０’を介して、洗浄分岐管４００’から生理食塩水を洗浄チャンバー３３０’に注入して、前記各素子を洗浄する。
【考案の概要】
【考案が解決しようとする課題】
【０００６】
しかし、医療従事者が吸引チューブ３０’を引き出し洗浄チャンバー３３０’に移すプロセスにおいて、負圧の状態が継続されており、しかも、公知の閉鎖式吸痰キット１’には、吸引チューブ３０’の位置を固定するための固定具が設けられていない。
そのため、医療従事者の不慣れまたは力量の加減の不適切により、吸引チューブ３０’が洗浄チャンバー３３０’（すなわち、排出段１２０’）を抜け出して、大量な酸素が負圧によって収集バグ５０’内部に吸引し膨張することにより、患者への酸素供給量が不足し、死亡に至る事故が引き起こされる。
このほか、前述の抜け出しが吸引チューブ３０’の洗浄プロセスにおいて発生した場合は、洗浄水が患者の痰と併せて収集バグ５０’に吸引され、汚染により患者の気道が感染される。
【課題を解決するための手段】
【０００７】
公知の閉鎖式吸痰キットは種々の欠点を有するため、考案者が研究開発を繰り返した結果、本案の閉鎖式吸痰装置を考案した。
本考案の閉鎖式吸痰装置は、吸引チューブに戻り防止具を設け、戻り防止具は弾性を有し、医療従事者の過度な引き込みにより、吸引チューブが吸引チューブのスリーブに落ち入る恐れがなく、公知の閉鎖式吸痰キットの欠点を補うことができる。
【０００８】
本考案の主な目的は、吸引チューブに吸引チューブの戻り防止具を内設し、戻り防止具の弾性と吸引チューブスリーブの異なる弾性を利用し、医療従事者の過度な引き込みにより、吸引チューブが吸引チューブスリーブ内部に落ち入ることを防止できる閉鎖式吸痰装置を提供する。
【０００９】
本考案の目的を達成するため、閉鎖式吸痰装置を提供する。
【００１０】
本考案の閉鎖式吸痰装置は、少なくとも一つの患者接続チューブと、一つの酸素供給分岐管と、延長チューブとを有する第１チューブアセンブリ体と、少なくとも一つの吸引接続チューブと、一つの負圧吸引機接続チューブと、負圧制御弁と、を有する第２チューブアセンブリ体と、吸引端と、負圧端とを有し、吸引端は第１チューブアセンブリ体に挿入しており、負圧端は第２チューブアセンブリ体の内部に固定する吸引チューブと、第１チューブアセンブリ体と、第２チューブアセンブリ体との間に接続され、吸引チューブを覆う吸引チューブスリーブと、吸引チューブスリーブに取り付けられ、第１チューブアセンブリ体と、第２チューブアセンブリ体との間に接続し、吸引チューブの吸引端が第１チューブアセンブリ体から抜け出して吸引チューブスリーブの内部に落ち入ることを防止する戻り防止具と、を備える。
【図面の簡単な説明】
【００１１】
【図１】公知の閉鎖式吸痰キットの断面図である。
【図２】本考案の閉鎖式吸痰装置の実施例１の上面図である。
【図３】閉鎖式吸痰装置の実施例１の断面図である。
【図４Ａ】閉鎖式吸痰装置による戻り防止具の実施例２の立体図である。
【図４Ｂ】戻り防止具による実施例３の立体図である。
【図４Ｃ】戻り防止具による実施例４の立体図である。
【図４Ｄ】戻り防止具による実施例５の立体図である。
【図４Ｅ】戻り防止具による実施例６の立体図である。
【考案を実施するための形態】
【００１２】
本考案の閉鎖式吸痰装置をより詳しく説明するため、図面と合わせて本考案の好ましい実施例を以下のとおり、詳細に説明する。
【実施例】
【００１３】
図２と図３の、本考案の閉鎖式吸痰装置実施例１の上面図と、断面図とを合わせて参照する。図２と３に示すように、本考案の閉鎖式吸痰装置１は第１チューブアセンブリ体１１と、吸引チューブ１２と、第２チューブアセンブリ体１３と、吸引チューブスリーブ１４と、戻り防止具１５と、を備える。
そのうち、第１チューブアセンブリ体１１に少なくとも一つの患者接続チューブ１１１と、酸素供給分岐管１１２と、延長チューブ１１３と、第１係索（ｌａｓｈｉｎｇ  ｒｉｎｇ）１１４とを有し、第１係索１１４は延長チューブ１１３に嵌設されている。
【００１４】
吸引チューブ１２は吸引チューブスリーブ１４の内部に取り付けられ、吸引端１２１と負圧端１２２とを有し、吸引チューブ１２の吸引端１２１が第１チューブアセンブリ体１１の内部に挿入され、負圧端１２２を第２チューブアセンブリ体１３の内部に固定されている。
このほか、図２に示すように、第２チューブアセンブリ体１３は少なくとも一つの吸引接続チューブ１３１と、一つの第２係索１３０と、負圧吸引機接続チューブ１３２と、負圧制御弁１６とを有し、吸引接続チューブ１３１は吸引チューブ１２の負圧端１２２に接続され、第２係索１３０は吸引接続チューブ１３１に接続されており、負圧吸引機接続チューブ１３２は外部の負圧吸引機に接続されている。
第２チューブアセンブリ体１３は、吸引接続チューブ１３１と負圧吸引機接続チューブ１３２との間に接続される負圧制御弁１６をさらに含み、負圧吸引機と吸引チューブ１２間の導通を制御する。
【００１５】
引き続き、図２と３を参照する。第２チューブアセンブリ体１３は蓋体１３３をさらに設けて、負圧吸引機接続チューブ１３２に被せておき、バイ菌と汚物が負圧吸引機接続チューブ１３２に進入して汚染することを避けることもできる。
【００１６】
吸引チューブスリーブ１４は第１チューブアセンブリ体１１と、第２チューブアセンブリ体１３との間に接続して、吸引チューブ１２を覆っている。本考案においては、吸引チューブスリーブ１４の内部に、戻り防止具１５を特別に設けている。戻り防止具１５はシリコンを用いた弾性の帯状部材が好ましい。
帯状部材（すなわち、戻り防止具１５）を吸引チューブスリーブ１４に取り付けて、帯状部材１５の一端を延長チューブ１１３に接続し、第１係索１１４を延長チューブ１１３に嵌設する。この方式によって、帯状部材を延長チューブ１１３に固定することができる。また、帯状部材（すなわち、戻り防止具１５）の他端を吸引接続チューブ１３１に接続して置き、第２係索１３０を用いて第２チューブアセンブリ体１３に固定して置く。
【００１７】
以上は、シリコンからなる帯状部材を戻り防止具１５とした実施例１を説明しているが、これは戻り防止具１５のプロセス材料または実施態様を制限するものではない。
引き続き、図４Ａ、図４Ｂ、図４Ｃ、図４Ｄの、戻り防止具の実施例２と、実施例３と、実施例４と、実施例５の立体図をそれぞれ参照する。
図４Ａに示すように、戻り防止具１５の実施例２も同じく帯状部材であり、帯状部材の主な材質は弾性ゴムである。ゴムバンドの表面に加工して複数の突起状物を形成することにより、ゴムバンド（すなわち、戻り防止具１５）の弾性を改変および調整ができる。
このほか、実施例３において、図４Ｂに示す帯状部材１５は綿ロープまたは組ひもからなる。周知のとおり、組ひもは自然の綿または化学合成の織物から仕上げるものと同じく弾性を得ることができる。
【００１８】
引き続き、実施例４において、図４Ｃに示す戻り防止具１５は、リング状を形成していて、リングはシリコン、ゴム、プラスチック、合成プラスチックなどの弾性部材から仕上げられ、外形は略長尺状を形成しているが、加工後にはフラットな楕円柱状を形成するため、同じく本考案の戻り防止具１５として用いることができる。
さらに、実施例４において、図４Ｄの帯状部材１５は、三角ベルトを形成している。リング、三角ベルトともリングはシリコン、ゴム、プラスチック、合成プラスチックなどの弾性部材から仕上げることができ、一定程度の弾性を有するため、本考案の戻り防止具１５に用いられる。
ここで特に説明したいことは、戻り防止具１５の弾性を適切に調節するには、戻り防止具１５の表面に複数の貫通穴、突起状物または凹み溝を仕上げることができ、一例として、図４Ｂに示す綿ロープまたは組ひもに複数のさん孔を開けるか、または図４Ｄに示す三角ベルトにて複数の凹み溝を開けても良い。
【００１９】
引き続き図４Ｅの、戻り防止具による実施例６の立体図を参照する。図４Ｅに示す実施例６の戻り防止具１５は、前記実施例１ないし５とは異なり、戻り防止具１５は複数のブロック部材からなり、ブロック部材を吸引チューブスリーブ１４の表面に設け、吸引チューブスリーブ１４に特殊な弾性をもたせることによって、同じく吸引チューブ１２の吸引端１２１が第１チューブアセンブリ体１１より離脱することを防止する効果がある。
【００２０】
以上により、本考案の閉鎖式吸痰装置１実施例１及び戻り防止具１５の各実施態様をすべて説明した。
引き続き、閉鎖式吸痰装置１の技術特徴を説明する。特に、本考案の閉鎖式吸痰装置１を使用するとき、医療従事者が吸引チューブ１２を引き込み、吸引チューブ１２の吸引端１２１が第１チューブアセンブリ体１１に戻ったとき、戻り防止具１５によって、適時に吸引チューブ１２の吸引端１２１を引き止ることができる。
これにより、医療従事者が過度に吸引チューブ１２の吸引端１２１を引き込むことによって、第１チューブアセンブリ体１１を離れて、吸引チューブスリーブ１４の中に落ち入ることを防止できる。
【００２１】
以上、立体図、断面図及び上面図を用いて、本考案の閉鎖式吸痰装置の好ましい実施例を完全に説明した。前述の説明から本考案には以下の長所があることを理解できる。
【００２２】
本考案の閉鎖式吸痰装置１は吸引チューブスリーブ１４の内部に戻り防止具１５を設け、その一端は第１係索１１４によって延長チューブ１１３に固定していて、他端は第２係索１３０によって第２チューブアセンブリ体１３に固定する。
さらに、戻り防止具１５は弾性を有しており、医療従事者が吸引チューブ１２を引き込むことにより、吸引チューブ１２の吸引端１２１を第１チューブアセンブリ体１１に戻したときは、戻り防止具１５は適時に吸引チューブ１２の吸引端１２１を引き止めることができ、医療従事者の過度な引き込みにより、吸引端１２１が第１チューブアセンブリ体１１を離れて、吸引チューブスリーブ１４内部に落ち入ることを防止できる。
【００２３】
以上、本考案の閉鎖式吸痰装置を開示したが、以上の説明は本考案の実施例の具体的な説明であり、本考案の請求範疇に制限を加わるものではなく、本考案の技術精神に基づいて、等効果の実施または変更も、なお本考案の請求の範疇に含める。
【符号の説明】
【００２４】
（公知技術）
１’        公知の閉鎖式吸痰キット
１０’      接続チューブ
１００’    チューブ状本体
１１０’    接続段
１２０’    排出段
２０’      酸素搬送チューブ
２００’    酸素供給分岐管
３０’      吸引チューブ
３１’      患者端
３１０’    第１掻き板
３２０’    第２掻き板
３３０’    洗浄チャンバー
４０’      注水チューブ
４００’    洗浄分岐管
５０’      収集バッグ
（本考案）
１          閉鎖式吸痰装置
１１        第１チューブアセンブリ体
１１１      患者接続チューブ
１１２      酸素供給分岐管
１１３      延長チューブ
１１４      第１係索
１２        吸引チューブ
１２１      吸引端
１２２      負圧端
１３        第２チューブアセンブリ体
１３０      第２係索
１３１      吸引接続チューブ
１３２      負圧吸引機接続チューブ
１３３      蓋体
１４        吸引チューブスリーブ
１５        戻り防止具
１６        負圧制御弁
【図１】
0003184134.tif 000003
【図２】
0003184134.tif 000004
【図３】
0003184134.tif 000005
【図４Ａ】
0003184134.tif 000006
【図４Ｂ】
0003184134.tif 000007
【図４Ｃ】
0003184134.tif 000008
【図４Ｄ】
0003184134.tif 000009
【図４Ｅ】
0003184134.tif 000010